(57)【要約】【課題】  特殊な冶具を用いずに、簡単に且つ確実にホルダ本体を蓋体に安定した状態で取り付けてペンを収納することができるペンホルダを提供する。【解決手段】  ホルダ本体２０を電池蓋１３に取り付ける際の初期位置を規制する初期位置規制部２１と、この初期位置規制部２１で初期位置にセットされたホルダ本体２０を電池蓋１３に対してスライド可能にガイドするガイド部２２と、このガイド部２２でガイドされたホルダ本体２０が電池蓋１３の所定位置にスライドした際にホルダ本体２０を電池蓋１３に対して固定するホルダ固定部２３とを備えた。従って、特殊な冶具を用いずに、簡単に且つ確実にホルダ本体２０を電池蓋１３に安定した状態で取り付けることができる。【選択図】        図４
2009157426.tif 000002
【特許請求の範囲】
【請求項１】
機器ケースに着脱可能に取り付けられる蓋体にホルダ本体を取り付けることにより構成されてペンを挿脱可能に収納するペンホルダであって、
前記ホルダ本体を前記蓋体に取り付ける際の初期位置を規制する初期位置規制部と、
この初期位置規制部で前記初期位置にセットされた前記ホルダ本体を前記蓋体に対してスライド可能にガイドするガイド部と、
このガイド部でガイドされた前記ホルダ本体が前記蓋体の所定位置にスライドした際に前記ホルダ本体を前記蓋体に対して固定するホルダ固定部と
を備えていることを特徴とするペンホルダ。
【請求項２】
前記初期位置規制部は、前記ホルダ本体におけるスライド方向に沿う一側部の所定位置に設けられた切欠部を有しており、
前記ガイド部は、前記ホルダ本体の前記一側部と反対側に位置する他側部に対応する前記蓋体の箇所に前記ホルダ本体のスライド方向に沿って設けられたガイド溝と、前記ホルダ本体の前記他側部に前記ホルダ本体のスライド方向に沿って設けられて前記ガイド溝内に移動可能に挿入するガイド突起とを有しており、
前記ホルダ固定部は、前記ガイド突起と反対側に位置する前記ホルダ本体の前記一側部に設けられた弾性突起と、この弾性突起に対応する前記蓋体の所定位置に設けられて前記ホルダ本体が前記蓋体の所定位置にスライドした際に前記弾性突起を係脱可能に係止する固定フックとを有していることを特徴とする請求項１に記載のペンホルダ。
【請求項３】
前記ホルダ固定部の前記固定フックは、前記ホルダ本体の前記一側部に対応する前記蓋体の両側部にそれぞれ設けられており、
前記ホルダ固定部の前記弾性突起は、前記固定フックに対応する前記ホルダ本体の両側部にそれぞれ設けられており、
前記初期位置規制部の前記切欠部は、前記弾性突起の間に位置する前記ホルダ本体のほぼ中間部に設けられて、前記蓋体の両側部に位置する前記固定フックの一方が挿入することにより、前記蓋体に対する前記ホルダ本体の前記初期位置を規制することを特徴とする請求項２に記載のペンホルダ。
【請求項４】
前記固定フックは、前記ガイド部によって前記ホルダ本体がガイドされてスライドする際、前記ガイド部と反対側に位置する前記ホルダ本体の前記一側部を前記ガイド部と共にガイドすることを特徴とする請求項１〜３のいずれかに記載のペンホルダ。
【請求項５】
前記ホルダ本体は、前記蓋体の所定位置にスライドして前記弾性突起が前記固定フックに係止された際に、前記固定フックに当接するストッパ部を備えていることを特徴とする請求項１〜４のいずれかに記載のペンホルダ。
【発明の詳細な説明】
【技術分野】
【０００１】
この発明は、電子辞書や電子手帳、電卓、携帯電話機、携帯情報端末機（ＰＤＡ：パーソナル・デジタル・アシスタント）などの電子機器に用いられるペンホルダに関する。
【背景技術】
【０００２】
従来、携帯情報端末機などの電子機器においては、第１ケースと第２ケースとを備え、この第１、第２の各ケースをヒンジ部によって回動可能に連結し、携帯するときにヒンジ部を中心に第１、第２の各ケースを回動させて折り畳み、使用するときにヒンジ部を中心に第１、第２の各ケースを回動させて開くように構成した折り畳み式のものが知られている。
【０００３】
このような折り畳み式の電子機器では、機器全体をコンパクトに構成するため、特許文献１に記載されているように、第１、第２の各ケースを回動可能に連結するヒンジ部に電池収納部を設け、この電池収納部に電池を収納するように構成している。
【特許文献１】特開２００２−２１６７２９号
【０００４】
また、この折り畳み式の電子機器においては、第１、第２の各ケースを回動可能に連結するヒンジ部に設けられた電池収納部に、更に入力ペンを収納するためのペンホルダを設けることにより、機器全体の更なるコンパクト化を図ることが要望されている。
【発明の開示】
【発明が解決しようとする課題】
【０００５】
このような従来の折り畳み式の電子機器におけるペンホルダは、電池収納部を開閉自在に覆う電池蓋にホルダ本体を取り付けて入力ペンを収納するペン収納部を形成する場合、電池蓋に複数の固定フックを設け、ホルダ本体に複数の係止凹部を設け、電池蓋の複数の固定フックにホルダ本体の複数の係止凹部をそれぞれ係合させることにより、ホルダ本体を電池蓋に取り付けるように構成したものが考えられている。
【０００６】
しかしながら、このようなペンホルダでは、電池蓋の複数の固定フックにホルダ本体の複数の係止凹部をそれぞれ係合させる際、その全てが相互に係合しなければ、ホルダ本体を電池蓋に安定させて取り付けることができないため、複数の固定フックに複数の係止凹部を全て係合させる作業が煩雑で難しく、特殊な冶具を用いなければ、簡単に且つ容易に複数の係止凹部を複数の固定フックに係合させて電池蓋にホルダ本体を取り付けることができないという問題がある。
【０００７】
この発明が解決しようとする課題は、特殊な冶具を用いずに、簡単に且つ確実にホルダ本体を蓋体に安定した状態で取り付けてペンを収納することができるペンホルダを提供することである。
【課題を解決するための手段】
【０００８】
この発明は、上記課題を解決するために、次のような構成要素を備えている。
請求項１に記載の発明は、機器ケースに着脱可能に取り付けられる蓋体にホルダ本体を取り付けることにより構成されてペンを挿脱可能に収納するペンホルダであって、前記ホルダ本体を前記蓋体に取り付ける際の初期位置を規制する初期位置規制部と、この初期位置規制部で前記初期位置にセットされた前記ホルダ本体を前記蓋体に対してスライド可能にガイドするガイド部と、このガイド部でガイドされた前記ホルダ本体が前記蓋体の所定位置にスライドした際に前記ホルダ本体を前記蓋体に対して固定するホルダ固定部とを備えていることを特徴とするペンホルダである。
【０００９】
請求項２に記載の発明は、前記初期位置規制部が、前記ホルダ本体におけるスライド方向に沿う一側部の所定位置に設けられた切欠部を有しており、前記ガイド部は、前記ホルダ本体の前記一側部と反対側に位置する他側部に対応する前記蓋体の箇所に前記ホルダ本体のスライド方向に沿って設けられたガイド溝と、前記ホルダ本体の前記他側部に前記ホルダ本体のスライド方向に沿って設けられて前記ガイド溝内に移動可能に挿入するガイド突起とを有しており、前記ホルダ固定部は、前記ガイド突起と反対側に位置する前記ホルダ本体の前記一側部に設けられた弾性突起と、この弾性突起に対応する前記蓋体の所定位置に設けられて前記ホルダ本体が前記蓋体の所定位置にスライドした際に前記弾性突起を係脱可能に係止する固定フックとを有していることを特徴とする請求項１に記載のペンホルダである。
【００１０】
請求項３に記載の発明は、前記ホルダ固定部の前記固定フックが、前記ホルダ本体の前記一側部に対応する前記蓋体の両側部にそれぞれ設けられており、前記ホルダ固定部の前記弾性突起は、前記固定フックに対応する前記ホルダ本体の両側部にそれぞれ設けられており、前記初期位置規制部の前記切欠部は、前記弾性突起の間に位置する前記ホルダ本体のほぼ中間部に設けられて、前記蓋体の両側部に位置する前記固定フックの一方が挿入することにより、前記蓋体に対する前記ホルダ本体の前記初期位置を規制することを特徴とする請求項２に記載のペンホルダである。
【００１１】
請求項４に記載の発明は、前記固定フックが、前記ガイド部によって前記ホルダ本体がガイドされてスライドする際、前記ガイド部と反対側に位置する前記ホルダ本体の前記一側部を前記ガイド部と共にガイドすることを特徴とする請求項１〜３のいずれかに記載のペンホルダである。
【００１２】
請求項５に記載の発明は、前記ホルダ本体が前記蓋体の所定位置にスライドして前記弾性突起が前記固定フックに係止された際に、前記固定フックに当接するストッパ部を備えていることを特徴とする請求項１〜４のいずれかに記載のペンホルダである。
【発明の効果】
【００１３】
この発明によれば、ホルダ本体を機器ケースの蓋体に取り付ける際、初期位置規制部によってホルダ本体を蓋体に対する初期位置に規制し、この初期位置に規制されて蓋体に対しセットされたホルダ本体をガイド部によってガイドしながら蓋体に対しスライドさせ、このガイド部でガイドされたホルダ本体が蓋体の所定位置にスライドした際に、ホルダ固定部によってホルダ本体を蓋体に対し固定することができる。これにより、特殊な冶具を用いずに、簡単に且つ確実にホルダ本体を蓋体に安定した状態で取り付けることができる。
【発明を実施するための最良の形態】
【００１４】
以下、図１〜図１２を参照して、この発明を電子辞書に適用した一実施形態について説明する。
この電子辞書は、図１に示すように、第１ケース１と第２ケース２とをヒンジ部３によって回動可能に連結した折り畳み式のものである。この場合、第１、第２の各ケース１、２は、それぞれ同じ大きさのほぼ平板状の薄い箱形状に形成され、ヒンジ部３を中心に回動して閉じたときに、第１、第２の各ケース１、２が互いに重なり合うように構成されている。
【００１５】
この第１ケース１には、図１に示すように、キー入力部４が第２ケース２に対面する第１ケース１の上面から露出して設けられており、第２ケース２には、入力表示部５が第１ケース１に対面する第２ケース２の上面に設けられた開口部２ａから露出して設けられている。第１ケース１のキー入力部４は、文字キー、ファンクションキー、カーソルキーなどの辞書機能に必要な各種のキー釦４ａを備え、これら各キー釦４ａが第２ケース２に対面する第１ケース１の上面から露出するように構成されている。
【００１６】
また、第２ケース２の入力表示部５は、表示機能とタッチ入力機能とを兼ね備えたものであり、表示パネルの表面に透明なタッチパネルを積層し、このタッチパネルが図１に示すように第２ケース２の開口部２ａから露出し、この状態で表示パネルに表示された情報が、透明なタッチパネルおよび第２ケース２の開口部２ａを通して外部から見えるように構成されている。
【００１７】
すなわち、入力表示部５の表示パネルは、液晶表示パネルやＥＬ（エレクトロルミネッセンス）表示パネルなどの平面型のものであり、キー入力部４の入力操作に応じて辞書機能に必要な情報、およびタッチパネルでタッチ入力された手書き情報を電気光学的に表示するように構成されている。また、透明なタッチパネルは、第２ケース２の開口部２ａから露出する表面を後述する入力ペン６でタッチ操作することにより、表示パネルに表示された情報を選択したり、あるいは入力ペン６のタッチ操作による手書き情報を入力したりするように構成されている。
【００１８】
一方、第１、第２の各ケース１、２を回動可能に連結するヒンジ部３は、図１に示すように、第１ケース１の背面側に位置する端部（図１では奥側の端部）に設けられた第１ヒンジ部７と、第２ケース２の背面側に位置する端部（図１では手前側の端部）に設けられた第２ヒンジ部８とを備え、これら第１ケース１の第１ヒンジ部７と第２ケース２の第２ヒンジ部８とを図２に示すヒンジ軸９によって回動可能に連結した構成になっている。
【００１９】
すなわち、第１ヒンジ部７は、図１および図２に示すように、第１ケース１の背面側（図１では奥側）の端部における左右の両側部分を除く中間部分に、第１ケース１の上面から上方に向けてほぼ半円筒状に突出して形成されている。第２ヒンジ部８は、図１に示すように、第２ケース２の背面側（図１では手前側）の端部における左右の両側部分に、第２ケース２の手前側に向けてほぼ半円筒状に突出して形成されている。この場合、第１ケース１の第１ヒンジ部７は、第２ケース２の第２ヒンジ部８よりも十分に長く形成されている。また、第２ケース２の背面側（図１では手前側）の端部における中間部分には、図１に示すように、その左右の両側部分に設けられた第２ヒンジ部８によって、第１ヒンジ部７が挿入する切欠凹部１０が設けられている。
【００２０】
従って、ヒンジ部３は、図１に示すように、第１ケース１の第１ヒンジ部７が第２ケース２の切欠凹部１０に挿入して配置されることにより、第１ケース１の第１ヒンジ部７の両側に第２ケース２の第２ヒンジ部８がそれぞれ連続して配置され、この状態で第１ヒンジ部７の端面と第２ヒンジ部８の端面とが、図２に示すヒンジ軸９によって回転可能に連結されるように構成されている。これにより、ヒンジ部３は、ヒンジ軸９を中心に第１、第２の各ヒンジ部７、８が相対的に回転することにより、第１、第２の各ケース１、２を相対的に回動させて開閉させるように構成されている。この場合、ヒンジ軸９は、図２に示すように、その一端部が第１ヒンジ部７の両側の端面にそれぞれ固定されている。
【００２１】
このヒンジ部３には、図２および図３に示すように、電池１１を収納する電池収納部１２が設けられている。すなわち、この電池収納部１２は、図３に示すように、第１ケース１の第１ヒンジ部７に対応する箇所における第１ケース１の底部から第１ヒンジ部７の内部に亘って設けられ、その開放部分に電池蓋２３が着脱可能に取り付けられるように構成されている。この場合、電池１１は、円柱状の乾電池である。また、電池収納部１２は、２つの電池１１が連続して配置される細長い空間であり、ヒンジ部３の第１ヒンジ部７に対応する箇所の第１ケース１の下面側と第１ケース１の背面側とに開放されている。
【００２２】
電池蓋１３は、図２および図３に示すように、ヒンジ部３の第１ヒンジ部７における背面から第１ケース１の下面に亘って着脱可能に装着されることにより、電池収納部１２の開放部分を塞ぐように構成されている。すなわち、この電池蓋１３は、電池収納部１２の底面側、つまり第１ヒンジ部７に対応する箇所の第１ケース１の下面側の開放部分を覆って塞ぐ底面部１３ａと、電池収納部１２の背面側、つまり第１ヒンジ部７に対応する箇所の第１ケース１の背面側の開放部分を覆って塞ぐ背面部１３ｂとを有し、これら底面部１３ａと背面部１３ｂとが外側に向けて凸となる湾曲部１３ｃによってほぼＬ字形状に連続して形成されている。
【００２３】
この場合、電池蓋１３の底面部１３ａには、図４に示すように、係合突起１４が前方（図４では手前側）に向けて突出して設けられており、電池蓋１３の背面部１３ｂにおける内側の上端部には、複数の係合フック１５が設けられている。一方、電池蓋１３に対応する電池収納部１２内に位置する第１ケース１の底部には、図３に示すように、電池蓋１３の底面部１３ａに設けられた係合突起１４が係脱可能に係合する係止穴１６が設けられており、第１ケース１の第１ヒンジ部７内に位置する電池収納部１２内における背面側の縁部には、電池蓋１３の背面部１３ｂに設けられた複数の係合フック１５をそれぞれ係脱可能に係止する複数の係止部１７が設けられている。
【００２４】
これにより、電池蓋１３は、図３に示すように、第１ケース１の背面側から電池蓋１３の底面部１３ａを電池収納部１２内に位置する第１ケース１の底面に挿入させてスライドさせると、図２に示すように、電池蓋１３の底面部１３ａが電池収納部１２の底面側の開放部分を覆って塞ぐと共に、電池蓋１３の背面部１３ｂが電池収納部１２の背面側の開放部分を覆って塞ぐように構成されている。
【００２５】
このときに、電池蓋１３は、図２に示すように、その底面部１３ａが電池収納部１２内に位置する第１ケース１の底面に密着して、電池蓋１３の係合突起１４が第１ケース１の係止穴１６に係止されると共に、電池蓋１３の背面部１３ｂが電池収納部１２内に位置する第１ケース１の第１ヒンジ部７の背面に密着して、電池蓋１３の係合フック１５が電池収納部１２の背面側の縁部に設けられた係合部１７に係止され、これにより電池収納部１２に着脱可能に取り付けられるように構成されている。
【００２６】
また、この電池蓋１３の内面には、図４〜図６に示すように、入力ペン６を挿脱可能に収納するペンホルダ１８が設けられている。このペンホルダ１８は、図４に示すように、電池蓋１３の外側（図４では紙面の裏面側）に向けて凸となる湾曲部１３ｃの内面に、これと反対側(図４では紙面の表面側)に向けて凸となるほぼ半円筒状のホルダ本体２０を対応させて取り付け、このほぼ半円筒状のホルダ本体２０と電池蓋１３の湾曲部１３ｃとによって、入力ペン６が挿入するほぼ円柱状の空間を形成するように構成されている。
【００２７】
すなわち、このペンホルダ１８は、図４〜図６に示すように、電池蓋１３にホルダ本体２０を取り付けて入力ペン６を収納するペン収納部を形成するために、ホルダ本体２０を第１ケース１の電池蓋１３に取り付ける際の初期位置を規制する初期位置規制部２１と、この初期位置規制部２１で初期位置にセットされたホルダ本体２０を電池蓋１３に対してスライド可能にガイドするガイド部２２と、このガイド部２２でガイドされたホルダ本体２０が電池蓋１３の所定位置にスライドした際にホルダ本体２０を電池蓋１３に対して固定するホルダ固定部２３とを備えている。
【００２８】
初期位置規制部２１は、図４および図５に示すように、ホルダ本体２０のスライド方向（長手方向）に沿う下辺側（図４では手前側）に位置する一側部２０ａにおける所定位置に設けられた切欠部２４を有している。また、ガイド部２２は、図６（ａ）、図６（ｂ）および図７に示すように、ホルダ本体２０の一側部２０ａと反対側に位置する上辺側の他側部２０ｂに対応する電池蓋１３の背面部１３ｂにホルダ本体２０のスライド方向（長手方向）に沿って設けられたガイド溝２５と、ホルダ本体２０の上辺側に位置する他側部２０ｂに設けられてガイド溝２５内に移動可能に挿入するガイド突起２６とを有している。
【００２９】
ホルダ固定部２３は、図４〜図６に示すように、ホルダ本体２０の下辺側に位置する一側部２０ａにそれぞれ設けられた弾性突起２７と、この弾性突起２７に対応する電池蓋１３の底面部１３ａにおける所定位置にそれぞれ設けられてホルダ本体２０が電池蓋１３の所定位置にスライドした際に弾性突起２７を係脱可能に係止する固定フック２８とを有している。また、ホルダ本体２０には、図４および図６（ｃ）に示すように、ホルダ本体２０が電池蓋１３の所定位置にスライドして弾性突起２７が固定フック２８に係止された際に、固定フック２８にそれぞれ当接するストッパ部３０が設けられている。
【００３０】
この場合、初期位置規制部２１の切欠部２４は、図４および図５に示すように、ホルダ本体２０の下辺側に位置する一側部２０ａのほぼ中間部に設けられ、電池蓋１３の底面部１３ａにそれぞれ設けられた固定フック２８のうち、図７および図８に示すように、電池蓋１３の右側に位置する一方の固定フック２８が挿脱可能に挿入することにより、ホルダ本体２０が電池蓋１３の右側に突出した状態で、電池蓋１３に対するホルダ本体２０の初期位置を規制し、これにより図６（ｂ）に示すようにホルダ本体２０のガイド突起２６が電池蓋１３のガイド溝２５に挿入可能な状態で対応するように構成されている。
【００３１】
すなわち、図５に示す切欠部２４の切り込み長さＫ１は、図６（ｂ）に示すように、ガイド突起２６がガイド溝２５内に挿入する長さＫ２と同じか、それよりも少し長く形成されている。また、ホルダ本体２０の下辺側に位置する一側部２０ａから上辺側に位置する他側部２０ｂまでの幅方向の長さＨ１、つまりガイド突起２６の突出長さを除いたホルダ本体２０の幅方向の長さＨ１は、図６（ａ）に示すように、電池蓋１３における固定フック２８からガイド溝２５内の底部までの長さＨ２よりも、ガイド突起２６がガイド溝２５内に挿入する長さＫ２だけ、短く（Ｈ１＝Ｈ２−Ｋ２）形成されている。
【００３２】
これにより、切欠部２４に固定フック２８が挿入した際には、図６（ｂ）に示すように、ガイド突起２６がガイド溝２５に挿入可能な状態で対応する。このため、ホルダ本体２０のガイド突起２６を電池蓋１３のガイド溝２５に向けて、ホルダ本体２０を移動させると、図６（ａ）に示すように、ホルダ本体２０のガイド突起２６が電池蓋１３のガイド溝２５に挿入される。
【００３３】
一方、ホルダ固定部２３の固定フック２８は、図４および図５に示すように、ホルダ本体２０の下辺側に位置する一側部２０ａに対応する電池蓋１３の底面部１３ａの両側にそれぞれ設けられている。この各固定フック２８は、図６（ｃ）に示すように、電池蓋１３の底面部１３ａ上（同図では上面）に起立して設けられた固定片２８ａと、この固定片２８ａの上端部からホルダ本体２０のスライド方向（長手方向）における右側、つまりホルダ本体２０が初期位置から電池蓋１３の所定位置に向けてスライドする方向と反対側に向けて突出したフック片２８ｂとを備え、このフック片２８ｂの下側に図６（ｃ）に示すようにストッパ部３０が挿入して固定片２８ａの右側に当接するように構成されている。
【００３４】
また、ホルダ固定部２３の弾性突起２７は、固定フック２８に対応するホルダ本体２０の下辺側の一側部２０ａにおける両側部にそれぞれ設けられている。この各弾性突起２７は、図４および図５に示すように、ホルダ本体２０の下辺側の一側部２０ａに沿って設けられたスリット孔２７ａと、このスリット孔２７ａの中間部に対応するホルダ本体２０の一側部２０ａに突出して設けられた突起片２７ｂとを有し、この突起片２７ｂがスリット孔２７ａによってホルダ本体２０のスライド方向と直交する方向に弾性変形するように構成されている。
【００３５】
これにより、ホルダ固定部２３は、図６（ａ）に示すように、ホルダ本体２０のガイド突起２６が電池蓋１３のガイド溝２５内に挿入した状態で、図１１および図１２に示すように、ホルダ本体２０が初期位置から電池蓋１３の所定位置、つまり弾性突起２７が固定フック２８に対応する位置にスライドすると、弾性突起２７の突起片２７ｂが固定フック２８の固定片２８ａの右側に当接して弾性変形し、この弾性突起２７の突起片２７ｂが固定フック２８の固定片２８ａを乗り越えると、弾性突起２７の突起片２７ｂが元の状態に弾性復帰することにより、ホルダ本体２０がスライドして来た方向と反対方向にスライドして抜け出さないように、図６（ｃ）に示すように、固定フック２８における固定片２８ａの左側を係止するように構成されている。
【００３６】
また、ストッパ部３０は、図７および図８に示すように、ホルダ本体２０における弾性突起２７の右側近傍に位置し、弾性突起２７の突起片２７ｂよりも下辺側（図７では手前側）に向けて突出した状態で設けられ、図６（ｃ）に示すように、弾性突起２７の突起片２７ｂが元の状態に弾性復帰して固定フック２８の左側を係止した際に、ホルダ本体２０が所定位置を通り過ぎないように、固定フック２８のフック片２８ｂの下側に挿入して固定部２８ａの右側に当接することにより、ホルダ本体２０を所定位置に規制するように構成されている。
【００３７】
さらに、電池蓋１３の底面部１３ａにおける両側に設けられた各固定フック２８は、図６（ａ）に示すように、ホルダ本体２０のガイド突起２６が電池蓋１３のガイド溝２５内に挿入した状態で、図１１および図１２に示すように、ホルダ本体２０がスライドする際、ガイド部２２と反対側に位置するホルダ本体２０の下辺側の一側部２０ａが固定片２０ａに接触してガイドされながらスライドするガイド機能をも有し、ホルダ本体２０の下辺側の一側部２０ａをガイド部２２と共にガイドするように構成されている。
【００３８】
次に、このペンホルダ１８のホルダ本体２０を電池蓋１３に取り付ける場合について説明する。
このときには、まず、図７および図８に示すように、ホルダ本体２０の下辺側に位置する一側部２０ａに設けられた初期位置規制部２１の切欠部２４を、ガイド溝２５と反対側に位置する電池蓋１３に設けられた右側の固定フック２８に対応させて、切欠部２４に固定フック２８を挿入させる。これにより、ホルダ本体２０が電池蓋１３に対する初期位置が規制され、図６（ｂ）に示すように、ホルダ本体２０の上辺側の他側部２０ｂに設けられたガイド部２２のガイド突起２６が電池蓋１３のガイド部２２のガイド溝２５に挿入可能な状態で対応する。
【００３９】
このときには、図７および図８に示すように、ホルダ本体２０の右側に位置するほぼ半分程度の部分が電池蓋１３の右方向に突出した状態で、ホルダ本体２０が電池蓋１３にセットされる。この状態で、図９および図１０に示すように、ホルダ本体２０の上辺側の他側部２０ｂを電池蓋１３のガイド溝２５に向けて、ホルダ本体２０を移動させると、図６（ａ）に示すように、ホルダ本体２０の上辺側の他側部２０ｂに設けられたガイド突起２６が電池蓋１３のガイド溝２５に挿入すると共に、電池蓋１３に設けられた右側の固定フック２８が、ホルダ本体２０の一側部２０ａに設けられた初期位置規制部２１の切欠部２４内から離脱する。
【００４０】
これにより、ホルダ本体２０がガイド部２２によってガイドされる状態になると共に、ホルダ本体２０の下辺側の一側部２０ａが、電池蓋１３に設けられた固定フック２８の固定片２８ａによってガイドされる状態になる。この状態で、ホルダ本体２０をガイド部２３のガイド溝２５に沿ってスライドさせると、図１１および図１２に示すように、ホルダ本体２０がガイド部２２によってガイドされながらスライドすると共に、ガイド部２２と反対側に位置するホルダ本体２０の下辺側の一側部２０ａが、電池蓋１３の両側に設けられた各固定フック２８の固定片２８ａに接触してガイドされながらスライドする。
【００４１】
そして、ホルダ本体２０がスライドして所定位置に到達すると、ホルダ本体２０の各弾性突起２７が電池蓋１３の各固定フック２８の右側に当接し、この各固定フック２８によって各弾性突起２７がそれぞれ弾性変形して各固定フック２８を乗り越える。すなわち、弾性突起２７の突起片２７ｂが固定フック２８の固定片２８ａに当接した状態で、ホルダ本体２０がスライドすると、突起片２７ｂが固定フック２８の固定片２８ａで押されてスリット孔２７ａ側に向けて弾性変形する。そして、突起片２７ｂが固定片２８ａを乗り越えると、弾性突起２７が元の状態に弾性復帰し、突起片２７ｂが固定片２８ａの左側を係止する。
【００４２】
このときには、各弾性突起２７の近傍に位置するホルダ本体２０にそれぞれ設けられたストッパ部３０が電池蓋１３の各固定フック２８の右側に当接して、ホルダ本体２０のスライドが停止される。すなわち、各ストッパ部３０は、各弾性突起２７の突起片２７ｂが各固定フック２８の固定片２８ａを乗り越えてそれぞれ元の状態に弾性復帰して各固定片２８ａの左側を係止した際に、各固定フック２８のフック片２８ｂの下側に挿入して各固定片２８ａの右側に当接する。これにより、ホルダ本体２０が電池蓋１３の所定位置に位置規制されて電池蓋１３に取り付けられる。
【００４３】
この状態では、図６（ｃ）に示すように、各弾性突起２７が各固定フック２８の左側を係止しているので、ホルダ本体２０が逆方向に向けてスライドして電池蓋１３から離脱するのを阻止することができると共に、ホルダ本体２０の各ストッパ部３０が各固定フック２８の右側に当接しているので、ホルダ本体２０が電池蓋１３の所定位置を通り過ぎてしまうのを阻止することができる。また、ホルダ本体２０のガイド突起２６が電池蓋１３のガイド溝２５に挿入した状態で、ホルダ本体２０の各ストッパ部３０が各固定フック２８のフック片２８ｂの下側に挿入して電池蓋１３に挟み付けられているので、ホルダ本体２０が電池蓋１３から面方向（図４では紙面の表面側）に離脱するのを阻止することができ、これによりホルダ本体２０が電池蓋１３に確実に固定される。
【００４４】
このように、この電子辞書のペンホルダ１８によれば、ホルダ本体２０を電池蓋１３に取り付ける際の初期位置を規制する初期位置規制部２１と、この初期位置規制部２１で初期位置にセットされたホルダ本体２０を電池蓋１３に対してスライド可能にガイドするガイド部２２と、このガイド部２２でガイドされたホルダ本体２０が電池蓋１３の所定位置にスライドした際にホルダ本体２０を電池蓋１３に対して固定するホルダ固定部２３とを備えているので、特殊な冶具を用いずに、簡単に且つ確実にホルダ本体２０を電池蓋１３に安定した状態で取り付けることができる。
【００４５】
すなわち、このペンホルダ１８によれば、ホルダ本体２０を第１ケース１の電池蓋１３に取り付ける際、初期位置規制部２１によってホルダ本体２０の初期位置を規制して、ガイド部２２のガイド突起２６をガイド溝２５に挿入させることができ、これによりホルダ本体２０を電池蓋１３に対する初期位置にセットすることができる。この状態で、ホルダ本体２０をガイド部２２によってガイドしながら電池蓋１３に対して円滑にスライドさせることができ、このガイド部２２でガイドされたホルダ本体２０が電池蓋１３の所定位置にスライドした際に、ホルダ固定部２３によってホルダ本体２０を電池蓋１３に対して固定することができる。このため、特殊な冶具を用いずに、簡単に且つ確実にホルダ本体２０を電池蓋１３に安定した状態で取り付けることができる。
【００４６】
この場合、初期位置規制部２１は、ホルダ本体２０の一側部２０ａにおける所定位置に設けられた切欠部２４をホルダ固定部２３の固定フック２８に対応させて挿入させることにより、簡単に且つ容易にホルダ本体２０を電池蓋１３に対する初期位置に規制することができるので、ガイド部２２のガイド突起２６がガイド溝２５に挿入可能な状態にセットすることができる。これにより、電池蓋１３に設けられたガイド部２２のガイド溝２５にホルダ本体２０のガイド突起２６を容易に且つ確実に挿入させることができる。このため、電池蓋１３に対してホルダ本体２０を取り付ける際の誤作業を防ぐことができるので、正確に且つ確実にホルダ本体２０を電池蓋１３に取り付けることが可能になる。
【００４７】
また、ガイド部２２は、ホルダ本体２０の一側部２０ａと反対側に位置する他側部２０ｂに対応する電池蓋１３の背面部１３ｂにホルダ本体２０のスライド方向に沿って設けられたガイド溝２５と、ホルダ本体２０の他側部２０ｂにホルダ本体２０のスライド方向に沿って設けられてガイド溝２５内に移動可能に挿入するガイド突起２６とを有しているので、電池蓋１３に設けられたガイド溝２５に、ホルダ本体２０の他側部２０ｂに設けられたガイド突起２６を移動可能に挿入させてスライドさせる際、ホルダ本体２０を電池蓋１３に対して安定した状態で円滑に且つ良好にガイドすることができる。
【００４８】
さらに、ホルダ固定部２３は、ホルダ本体２０の一側部２０ａに設けられた弾性突起２７と、この弾性突起２７に対応する電池蓋１３の底面部１３ａにおける所定位置に設けられて弾性突起２７が係脱可能に係合する固定フック２８とを有しているので、ホルダ本体２０がスライドして電池蓋１３の所定位置に到達すると、固定フック２８によって弾性突起２７が弾性変形し、ホルダ本体２０が更にスライドして弾性突起２７が固定フック２８を乗り越えると、弾性突起２７が元の状態に弾性復帰して、弾性突起２７が固定フック２８の左側を係止することにより、ホルダ本体２０が逆方向にスライドして電池蓋１３から離脱するのを阻止することができると共に、ホルダ本体２０を押し込む方向にスライドさせるだけの簡単な作業で、容易にホルダ本体２０を電池蓋１３に固定することができる。
【００４９】
この場合、ホルダ固定部２３の固定フック２８は、ホルダ本体２０の一側部２０ａに対応する電池蓋１３の底面部１３ａにおける両側部にそれぞれ設けられており、ホルダ固定部２３の弾性突起２７は、固定フック２８に対応するホルダ本体２０の両側部にそれぞれ設けられているので、電池蓋１３の両側部にそれぞれ設けられた固定フック２８と、ホルダ本体２０の両側部にそれぞれ設けられた弾性突起２７とによって、ホルダ本体２０の両側部を電池蓋１３に対して固定することができ、これによりホルダ本体２０を電池蓋１３に対して安定した状態で固定することができる。
【００５０】
また、初期位置規制部２１の切欠部２４は、弾性突起２７の間に位置するホルダ本体２０のほぼ中間部に設けられ、電池蓋１３の底面部１３ａにおける両側部に位置する固定フック２８の一方、つまり電池蓋１３の右側に位置する固定フック２８が挿入して電池蓋１３に対するホルダ本体２０の初期位置を規制するので、ホルダ本体２０のほぼ半分程度の部分を電池蓋１３から側方に突出させた状態で、電池蓋１３に対するホルダ本体２０の初期位置を規制することができ、これにより電池蓋１３に設けられたガイド部２２のガイド溝２５のほぼ半分程度にホルダ本体２０のガイド突起２６を挿入させれば良いので、電池蓋１３に対してホルダ本体２０を取り付ける際の誤作業を防いで、ガイド突起２６の一部をガイド溝２５の一部に容易に且つ確実に挿入させることができる。
【００５１】
また、このペンホルダ１８によれば、ガイド部２２によってホルダ本体２０がスライドする際、固定フック２８がガイド部２２と反対側に位置するホルダ本体２０の一側部２０ａをガイド部２２と共にガイドするので、より一層、ホルダ本体２０を安定した状態で円滑に且つ良好にガイドすることができ、これによりホルダ本体２０を電池蓋１３の所定位置にスライドさせて、弾性突起２７を確実に且つ円滑に弾性変形させて固定フック２８の左側を係止させることができる。
【００５２】
さらに、このペンホルダ１８によれば、ホルダ本体２０が電池蓋１３の所定位置にスライドして弾性突起２７が固定フック２８に係止された際に、固定フック２８に当接するストッパ部３０を備えているので、ホルダ本体２０をスライドさせた際、ホルダ本体２０が電池蓋１３の所定位置を通り過ぎることがなく、ホルダ本体２０を電池蓋１３の所定位置に正確に停止させることができ、これによりホルダ本体２０を電池蓋１３の所定位置に正確に且つ確実に固定することができる。
【００５３】
この場合、固定フック２８は、電池蓋１３の底面部１３ａに起立して設けられた固定片２８ａと、この固定片２８ａの上端部にホルダ本体２０のスライド方向（長手方向）における右側に向けて突出して設けられたフック片２８ｂとを備えており、ストッパ部３０は、弾性突起２７の突起片２７ｂよりも下辺側（図７では手前側）に向けて突出して設けられているので、弾性突起２７の突起片２７ｂが元の状態に弾性復帰して固定フック２８の固定片２８ａの左側を係止した際に、固定フック２８のフック片２８ｂの下側にストッパ部３０を挿入させて固定片２８ａの右側に当接させることができる。
【００５４】
このため、固定フック２８は、ホルダ本体２０のガイド突起２６が電池蓋１３のガイド溝２５に挿入した状態で、ホルダ本体２０のストッパ部３０が固定フック２８のフック片２８ｂの下側に挿入することにより、ストッパ部３０を電池蓋１３に挟み付けることができる。これにより、ホルダ本体２０が電池蓋１３から面方向に離脱するのを確実に阻止することができるので、ホルダ本体２０を電池蓋１３に確実に且つ強固に固定することができる。
【００５５】
なお、上記実施形態では、第１ケース１と第２ケース２とをヒンジ部３で回動可能に連結した折畳式の電子辞書に適用した場合について述べたが、必ずしも折畳式の電子辞書である必要はなく、機器ケースの同一平面にキー入力部と入力表示部とを並べて設けた電子辞書にも適用することができる。また、必ずしも電子辞書に適用する必要はなく、電子手帳や電卓、携帯電話機、携帯情報端末機（ＰＤＡ：パーソナル・デジタル・アシスタント）などの各種の電子機器にも広く適用することができる。
【図面の簡単な説明】
【００５６】
【図１】この発明を電子辞書に適用した一実施形態を示した斜視図である。
【図２】図１の第１ケースを示した下面側の斜視図である。
【図３】図２の電池蓋を開いた状態を示した第１ケースの下面側の斜視図である。
【図４】図３の電池蓋に設けられたペンホルダを示した拡大斜視図である。
【図５】図４の状態におけるペンホルダの拡大平面図である。
【図６】図４に示されたペンホルダにおける要部の各断面を示し、（ａ）は図５のＡ−Ａ矢視における拡大断面図、（ｂ）は図８のＢ−Ｂ矢視における拡大断面図、（ｃ）は図５のＣ−Ｃ矢視における拡大断面図である。
【図７】図４のペンホルダにおいてホルダ本体を電池蓋の初期位置に規制した状態を示した拡大斜視図である。
【図８】図７の状態におけるペンホルダの拡大平面図である。
【図９】図７の状態で電池蓋のガイド溝にホルダ本体のガイド突起を挿入させた状態を示した拡大斜視図である。
【図１０】図９の状態におけるペンホルダの拡大平面図である。
【図１１】図９の状態でホルダ本体を電池蓋の所定位置にスライドさせた状態を示した拡大斜視図である。
【図１２】図１１の状態におけるペンホルダの拡大平面図である。
【符号の説明】
【００５７】
１  第１ケース
２  第２ケース
３  ヒンジ部
４  キー入力部
５  入力表示部
６  入力ペン
１２  電池収納部
１３  電池蓋
１８  ペンホルダ
２０  ホルダ本体
２０ａ  一側部
２０ｂ  他側部
２１  初期位置規制部
２２  ガイド部
２３  ホルダ固定部
２４  切欠部
２５  ガイド溝
２６  ガイド突起
２７  弾性突起
２８  固定フック
３０  ストッパ部
【図１】
2009157426.tif 000003
【図２】
2009157426.tif 000004
【図３】
2009157426.tif 000005
【図４】
2009157426.tif 000006
【図５】
2009157426.tif 000007
【図６】
2009157426.tif 000008
【図７】
2009157426.tif 000009
【図８】
2009157426.tif 000010
【図９】
2009157426.tif 000011
【図１０】
2009157426.tif 000012
【図１１】
2009157426.tif 000013
【図１２】
2009157426.tif 000014